(57)【特許請求の範囲】
【請求項１】
丸い雄プラグを受け入れるように構成された受け口（１１０）；
１つ又はそれ以上のターミナル（４１２）；及び
雄プラグ（１０４）に接触し、雄プラグ（１０４）と雌ジャック（１０２）との間に電気接触を作るように構成された第１嵌め合い湾曲部（１０８）及び
１つ又はそれ以上の撓みジョイント（２０２）を含む、単一のばね接片（１０６）を含み、１つ又はそれ以上の撓みジョイント（２０２）は、ばね接片（１０６）の長さの少なくとも一部分を延び、１つ又はそれ以上の撓みジョイント（２０２）は、ばね接片(１０６）の長さの一部分を延びる２つ又はそれ以上の接触部（１２０）を構成する、ばね接片（１０６）の厚さ（５０２）の一部分を通る１つ又はそれ以上の筋を含む、雌ジャック（１０２）。
【請求項２】
雌ジャックは、０．２５インチ雌ジャックである、請求項１の雌ジャック。
【請求項３】
１つ又はそれ以上の撓みジョイントは、ばね接片の末端まで延びる、請求項１の雌ジャック。
【請求項４】
嵌め合い湾曲部は、雌ジャックに雄プラグを固定する固定用結合構造を含む、請求項１の雌ジャック。
【請求項５】
第１ばね接片は、銅、スチールなどを含む、請求項１の雌ジャック。
【請求項６】
１つ又はそれ以上の撓みジョイントは、第１嵌め合い湾曲部の長さの少なくとも一部分を貫いて走る、請求項１の雌ジャック。
【請求項７】
１つ又はそれ以上の撓みジョイントはばね接片の２つの撓みジョイントを含む、請求項１の雌ジャック。
【請求項８】
雌ジャックは、ミュージカル装置に使用されるように構成される、請求項１の雌ジャック。
【請求項９】
丸い雄プラグを受け入れるように構成された受け口； 
１つ又はそれ以上のターミナル；及び
雄プラグに接触し、雄プラグと雌ジャックとの間に電気接触を作るように構成された第１嵌め合い湾曲部及び
単一のばね接片の長さの一部分に沿って２つ又はそれ以上の隣接した平行な接触部を形成する、ばね接片の長さの一部分に沿ってばね接片の厚さ全体を貫く１つ又はそれ以上のスロットである撓みジョイントを含む雌ジャックを含む、オーディオ装置のピース。
【請求項１０】
オーディオ装置のピースは、ミュージック増幅器を含む、請求項９のオーディオ装置のピース。
【請求項１１】
第１嵌め合い湾曲部は、雌ジャックに雄プラグを固定する固定用結合構造を含む、請求項９のオーディオ装置のピース。
【請求項１２】
２つ又はそれ以上のスロットは、ばね接片を、その長さの一部分に沿って２つ又はそれ以上の隣接した平行な接触部に分割することによって２つ又はそれ以上の隣接した平行な接触部を形成する、請求項９のオーディオ装置のピース。
【発明の詳細な説明】
【背景技術】
【０００１】
オーディオ情報のような情報を一方の装置から他方の装置へ伝達する広範囲の適用において雄プラグが雌ジャックと一緒に使用される。導電性ケーブルの端の雄プラグは、典型的には、雌ジャックに受け入れられ、電気接点としても作用する１つ又はそれ以上の湾曲ばね部材によって雌ジャックに固定される。プラグ，雌ジャック，及び又は電気コード、及びこれらが関係する装置が、操作中移動される適用では、プラグは、プラグを固定する雌ジャックの湾曲ばね部材から押し退けられ、雄プラグと雌ジャックとの間に伝達される信号ロスをもたらす。
【発明の概要】
【０００２】
例示の実施形態では、雌ジャックは、１つ又はそれ以上のターミナルと、丸い雄プラグを受け入れるように構成された受け口と、を含む。雌ジャックは、また単一のばね接片を含み、ばね接片は、雄プラグに接触しかつ雄プラグと雌ジャックとの間に電気接触を作るように構成された第１嵌め合い湾曲部を有する。ばね接片はまた、１つ又はそれ以上の撓みジョイントを含む。
【０００３】
他の例示の実施形態では、オーディオ装置のピースは、雌ジャックを含む。雌ジャックは、雄プラグを受け入れるように構成された受け口と、２つ又はそれ以上のターミナルとを含む。雌ジャックはまた、雄プラグを雌ジャックに固定しかつプラグと雌ジャックとの間に電気接触を作るように構成された第１嵌め合い湾曲部を有する第１ばね接片を含む。第１ばね接片はまた、１つ又はそれ以上の撓みジョイントを有する。雌ジャックは、雄プラグに接触し、雄プラグと雌ジャックとの間に電気接触を作るように構成された第２嵌め合い湾曲部を有する第２ばね接片を更に含む。第２ばね接片は、また１つ又はそれ以上の撓みジョイントを有する。
【０００４】
この概要は、請求した主題の鍵となる特徴、すなわち本質的特徴を特定するものではなく、請求した主題の範囲を限定するものとして使用されるものでもない。
【０００５】
本開示の他の原理的特徴は以下の図面詳細な説明及添付した請求項の検討時に当業者に明らかになろう。
実例実施形態を添付図面を参照して説明する。同じ番号は同じ要素を指す。
【図面の簡単な説明】
【０００６】
【図１】例示の実施形態による雌ジャック及び対応する雄プラグを示す。
【図２】他の例示の実施形態による雌ジャックの複数の接触片を示す。
【図３】他の例示の実施形態による雌ジャック及び対応する雄プラグを示す。
【図４】例示の実施形態による雌ジャックに固定される雄プラグを示す。
【図５】例示の実施形態による雄プラグに接触する複数の接触片を示す。
【図６】他の例示の実施形態による雄プラグに接触する複数の接触片を示す。
【図７】さらに他の例示の実施形態による雄プラグに接触する複数の接触片を示す。
【０００７】
［詳細な説明］
次の説明では、多くの詳細が、本開示のある実施形態の理解を提供するために記載される。しかしながら、システム及び又は方法論は、これらの詳細なしに実行されること、及び上記の実施形態から多くの変更修正が可能であることが当業者によって理解されよう。
【０００８】
ここに説明するように、技術及び技術的方法は、単一のばね接片の嵌め合い湾曲部に１つ又はそれ以上のスロットを使用して、雌ジャックに差し込まれた丸い雄プラグと接触するとき互いに対して移動することのできる２つ又はそれ以上の接触片を形成することと関連することができる。この方法で接触片の移動を可能にすることにより、接点の数を増加させ、雌ジャックのばね接片と雌ジャックに差し込まれた雄プラグとの間の面接触領域を増大させることができる。
【０００９】
例示の雌ジャック
図１は、１つの可能な実施による、雌ジャック１０２及び対応する丸い雄プラグ１０４を含むシステム１００を示す。雌ジャック１０２は、当該技術で知られた任意のタイプのジャックを含むことができ、該ジャックは、例えば、オーディオ装置（ミュージカル装置（例えばギター，キーボード，ミュージック増幅器，スピーカー，ミュージカル効果装置など），ハンドホーン，増幅器，マイクロホーン，コンピューター計算装置，コミュニケーション装置などを含む）と一緒に使用されるように構成されたジャックを含む。図１では、雌ジャック１０２は、単一ジャックとして示され、１つの、即ち単一のばね接片１０６がプラグ１０４と連絡するように構成されている。しかしながら、ジャック１０２は単一の形態に限定されないことは理解されよう。むしろ、ジャック１０２は、プラグ１０４との間で任意の数の電気信号を通信するように構成されてもよい。かくして、ジャック１０２は、ステレオジャック，３つ又はそれ以上の信号をプラグ１０４に及び又はから通信するジャックなどであってもよい。その上、ジャック１０２は、当該技術で知られた任意の大きさでもよく、０．２５インチ雌ジャックを含む。
【００１０】
同様に、雄プラグ１０４は、当該技術で知られた任意のタイプのプラグを含むことができ、例えば、オーディオ情報のような情報をオーディオ装置に及び又はから運ぶプラグを含む。雄プラグ１０４は当該技術で知られた任意の大きさであってもよい。
【００１１】
ばね接片１０６は、例えば、銅，スチールなどを含む、当該技術で知られた電導性材料で作られるのがよい。ばね接片１０６は、また、材料で作られてもよいし或いは、プラグ１０４と接触させたとき弾性的に曲がり又は反発することができるような弾力性を有するような方法に構成されてもよい。
【００１２】
ばね接片１０６は、またプラグ１０４がジャック１０２の受け口１１０に差し込まれるときプラグ１０４を受け入れかつ接触するように構成された嵌め合い湾曲部１０８を含むのがよい。この方法で、一旦プラグ１０４がジャック１０２に嵌め会わされると、電気信号をプラグ１０４から嵌め合い湾曲部１０８（かくしてジャック１０２）に通すことができる。１つの実施では、電気信号は、嵌め合い湾曲部１０８に接触するプラグ１０４の尖端１１２から通される。他の可能な実施では、電気信号は、嵌め合い湾曲部１０８に接触するプラグ１０４の１つ又はそれ以上のリング１１４から通されるかもしれない。
【００１３】
嵌め合い湾曲部１０８は、当該技術で知られた任意の仕方で構成されてもよい。例えば、１つの可能な実施では、嵌め合い湾曲部１０８は、電気信号をジャック１０２とプラグ１０４との間で通信するために、尖端１１２，リング１１４などで、プラグ１０４に接触する単一の湾曲部を含んでもよい。変形例として、他の可能な実施（図１に示す）では、嵌め合い湾曲部１０８は、プラグ１０４がジャック１０２に差し込まれるときプラグ１０４の尖端１１２に接触してこれを固定するように構成された峰部１１８及び盆状部１２０を含む固定用結合構造部１１６を含むのがよい。さらに他の可能な実施では、嵌め合い湾曲部１０８は、プラグ１０４の接触リング１１４に対するばね接片１０６上に置かれる。
【００１４】
ばね接片１０６はまた、互いに移動するように構成された複数の接触片１２０を含むのがよい。
【００１５】
図２は、ばね接片１０６の接触片１２０を詳細に示す。ばね接片１０６は、撓みジョイント２０２によって互いに分離された２つ又はそれ以上の接触片１２０を有するのがよい。１つの可能な実施では、撓みジョイント２０２は、ばね接片１０６の厚さ全体を貫いて延びるスロットを含むのがよい。このような実施では、接触片１２０は、いくつかの方向に互いに動くことができる。他の可能な実施では、撓みジョイント２０２は、ばね接片１０６の厚さを通して延びる溝のような筋を含み、接触片１２０間にヒンジを形成する。さらに他の可能な実施では、撓みジョイント２０２は、上記のスロットと筋の組み合わせを
含んでもよい。
【００１６】
撓みジョイント２０２は、ばね接片１０６の長さに沿って走るのがよい。例えば、撓みジョイント２０２は、ばね接片１０６の末端２０４から嵌め合い湾曲部１０８の長さ走るのがよい。他の可能な実施では、撓みジョイント２０２は、末端２０４から嵌め合い湾曲部１０８を通してばね接片１０６の本体のいくらか又はすべてへ走ってもよい。加えて、他の可能な実施では、撓みジョイント２０２は、嵌め合い湾曲部１０８で（すなわち末端ではなく）始まり、そしてばね接片１０６の嵌め合い湾曲部１０８及び又は本体２０６へ任意の長さ延びてもよい。加えて、ばね接片１０６の個々の撓みジョイント２０２は、異なる長さを有し、ばね接片１０６の異なる始点及び終点を有することを含んでもよい。
【００１７】
図３は、代替的なステレオ形態の雌ジャック１０２を示す。図示したように、ジャック１０２は、嵌め合い湾曲部１０８と関連して上述した可能性の形態のすべてを含む、当該技術で知られた仕方で構成される、第２の嵌め合い湾曲部３０２を含む第２のばね接片３００を含む。図３に示すステレオ形態では、ジャック１０２は、２つの別々の信号を含む、プラグ１０４からの２つの信号を受信することが出来る。例えば、プラグ１０４がジャック１０２に嵌め合わされるとき、ジャックプラグ１０４からの第１の信号はばね接片１０６の嵌め合い湾曲部１０８によってプラグ１０４の尖端１１２から受信することができる。ジャックプラグ１０４からの第２の信号は、第２のばね接片３００の第２の嵌め合い湾曲部３０２によってプラグ１０４のリング１１４から受信することができる。
【００１８】
ジャック１０２とプラグ１０４との間の信号は、可能な方向に伝わることが理解されよう。例えば、１つの可能な実施では、電気信号は、プラグ１０４からジャック１０２に伝わる。他の可能な実施では、電気信号は、ジャック１０２からプラグ１０４に伝わる。他の可能な実施では、電気信号は、ジャック１０２とプラグ１０４の間で可能な方向に伝達される。
【００１９】
図４は、１つの可能な実施による雌ジャック１０２に固定された雄プラグ１０４を示す。操作中、プラグ１０４がジャック１０２の受け口１１０に差し込まれるとき、尖端１１２の傾斜先端部４０２は、ばね接片１０６の嵌め合い湾曲部１０８の第１傾斜面４０４に遭遇する。プラグ１０４がジャック１０２の中へさらに移動すると、尖端１１２の突出部４０６は嵌め合い湾曲部１０８の峰部１１８に遭遇し次いでこれを通過する。突出部４０６は、嵌め合い湾曲部１０８の盆状部１２０に納まる。
【００２０】
１つの実施では、ばね接片１０６は、少なくとも幾分弾性であり、したがって峰部１１８は、尖端１１２がばね接片１０６に接触するとき、本体２０６の方に圧縮する。このような方法で、峰部１１８がプラグ１０４の凹み４０８に接触するとき、嵌め合い湾曲部１０８（峰部１１８を含む）は、接触力をプラグ１０４に及ぼす。接触力は、プラグ１０４とばね接片部材１０６との間の電気通信を確立することができる。接触力は、尖端１１２の受け口１１０の方への移動に抵抗することによってプラグ１０４をばね接片１０６の嵌め合い湾曲部１０８に固定することができる。１つの可能な実施では、プラグ１０４の本体４１０は、受け口１１０の直径をより大きい直径を有し、かくして、尖端１１２がジャック１０２にどのくらい挿入できるかを制限する。
【００２１】
図４に示すように、プラグ１０４の本体４１０の位置により尖端１１２をばね接片１０６の嵌め合い湾曲部１０８と嵌め合う程にジャック１０２に差し込める。他の可能な実施では、本体４１０は、尖端１１２をジャック１０２に一層差し込むことができるように、プラグ１０４の尖端１１２か一層離れて配置されるのがよい。この場合には、本体４１０は、峰部１１８が、リング１１４と電気接触するように、尖端１１２を十分遠くに移動させるように配置される。このような形態は、プラグ１０２のリング１１４と電気接触する第２のばね接片３００（図３に示すように）の第２の嵌め合い湾曲部３０２によって使用され、同時にばね接片１０６の嵌め合い湾曲部合い１０８は、尖端１１２と電気接触し、ジャック１０２とプラグ１０４との間で２つの別々の信号の通信を可能にする。
【００２２】
ジャック１０２とプラグ１０４との間で通信される信号の数に応じて、当該技術で知られた形態でジュック１０２に任意の数のターミナル４１２を含めてもよい。例えば、１つの可能な実施では、ジャック１０２とプラグ１０４との間で１つの信号が通信されるならば、一方のターミナル４１２をばね接片１０６に接続し、他方のターミナルは、アースに接続するように構成されてもよい。他の可能な実施では、２つの信号がジャック１０２とプラグ１０４との間で通信されるならば、一方のターミナル４１２は、ばね接片１０６に接続され、他方のターミナル４１２は、第２のばね接片３００に接続され、さらに他のターミナル４１２は、アースに接続されるように構成されるのがよい。
【００２３】
図５−６は、いくつかの例示態様による雄プラグ１０４に接触する複数の接触片１２０を示す。図示したように、接触片１２０はばね接片１０６の全厚さ５０２を貫いて延びる撓みジョイント２０２によって分離される。撓みジョイント２０２は、所望な幅を有し、接触片１２０が、軸線５０４，５０６に沿う及びその結合を含むいくつかの方向に互いに移動させることができる任意所望な幅をする。
【００２４】
接触片１２０がプラグ１０４と接触するとき（接触片１２０が上の実施形態で説明したように、プラグ１０４の尖端１１２及びリング１１４と接触するとき）接触片１２０は、プラグ１０４のいくつかの領域５０８に接触するために、別々に自由に移動する。これは、１つだけの接触片が使用されるシナリオと対照的になる。このようなシナリオでは、たった１つの接触領域が存在する。
【００２５】
１つの可能な実施では、多接触片１０２の使用は、ばね接片１０６とプラグ１０４との間の多数の電気接触及び又はばね接片１０６とプラグ１０４との間の全体の接触領域を増大させることができる。その上、接触片１２０の移動の独立のために、プラグ１０４がジャック１０２に対して（例えば、ジャック１０２，プラグ１０４，又はジャック１０２及び又はプラグ１０４が関係する装置により）移動するならば、接触片１２０の少なくとも１つが移動中プラグ１０４との電気接触を維持し、かくしてジャック１０２とプラグ１０４との間の信号ロスを防止すると言った大きいチャンスがある。
【００２６】
図５は、移動が方向５０４に起こるが、方向５０６には殆ど又は全く移動が起こらない、剛性接触片１２０の振る舞いを示す。例えば、剛性材料がばね接片１０６を作るために使用されるとき、撓みジョイント２０２がばね接片１０６に沿う長さが短いとき、などに、剛性接触片になる。このようなシナリオでは、接触片１２０は、図示したように、接触領域５０８を確立することができる。
【００２７】
図６は、移動が両方向５０４及び５０６に起こる剛性の少ない接触片１２０の振る舞いを示す。例えば、剛性の少ない材料がばね接片１０６を作るために使用されるとき、撓みジョイント２０２がばね接片１０６に沿う長さが長いとき、などに、剛性の少ない接触片１２０になる。このようなシナリオでは、接触片１２０は、互いに対して移動しかつ回転して、図示したように接触領域５０８を確立することができる。
【００２８】
例えば、接触片１２０が中間の剛性のものでありかつまたばね接片１０６に沿う中間長さの撓みジョイント２０２を有するとき、図５及び６に示す振る舞いの組み合わせになることは理解されよう。その上、上記のように、ある接触片が他の接触片よりも剛性が少ないように撓みジョイント２０２の長さ及び幅は変更してもよい。かくして、図５及び６に示す接触片１２０の振る舞いのいかなる組み合わせも種々の接触片１２０のすべてにわたって知ることができる。
【００２９】
図７は、他の例示実施形態による雄プラグ１０４に接触する複数の接触片１２０を示す。図示したように、接触片１２０は、ばね接片１０６の厚さ５０２の一部分を通して走る筋を含む撓みジョイント２０２によって分離される。かくして、撓みジョイント２０２により、接触片１２０を互いに枢動することによって互いに関して移動させることができる。
【００３０】
かくして、（接触片１２０が上記の潜在的な実施形態で説明したように、プラグ１０４の尖端１１２及びまたはリング１１４と接触するときのような）接触片１２０がプラグ１０４と接触するとき、接触片１２０は、プラグ１０４のいくつかの領域７０２に接触するために、自由に枢動する。
【００３１】
上記のように、撓みジョイント２０２の任意の組み合わせは、接触片１２０と関連し
て使用することができる。かくして、１つ又はそれ以上の撓みジョイント２０２は、ばね接片１０６の厚さ５０２の一部分を貫いて走る筋を含み、１つ又はそれ以上の他の撓みジョイント２０２は、ばね接片１０６の厚さ５０２全体を貫いて走る撓みスロットを含んでもよい。
【００３２】
用語「例示」は、ここでは、例（example)、例(instance)又は例(illustration)として役立つことを意味するために使用される。「例示」としてここに記載のいかなる面又はデザインは、必ずしも、他の面又はデザインに比して好まれまたは有利として解釈されるべきではない。さらに、この開示の目的のために、別に特定されないかぎり、「ａ」又は「an」は、「１つ又はそれ以上」を意味する。その上さらに、「及び」又は「又は」を使用することは、外に特別に指示されないかぎり、「及び又は」を含むものである。例示実施形態は、標準の工学技術を使用して製造方法，製造装置又は製造物品として実施されてもよい。
【００３３】
実例実施形態
次の実施形態は、実例であり、開示した主題の範囲を限定するものではない。
【００３４】
実施形態１    丸い雄プラグを受け入れるように構成された受け口； 
１つ又はそれ以上のターミナル； 
雄プラグに接触し、雄プラグと雌ジャックとの間に電気接触を作るように構成された第１嵌め合い湾曲部及び１つ又はそれ以上の撓みジョイント，を含む  単一のばね接片を含む、雌ジャック。
【００３５】
実施形態２    雌ジャックは、０．２５インチ雌ジャックである、請求項１の雌ジャック。
【００３６】
実施形態３    １つ又はそれ以上の撓みジョイントは、単一のばね接片の厚さの一部分を通る筋を含む、請求項１の雌ジャック。
【００３７】
実施形態４    嵌め合い湾曲部は、雌ジャックに雄プラグを固定する固定用結合構造を含む、請求項１の雌ジャック。
【００３８】
実施形態５    １つ又はそれ以上の撓みジョイントは、単一のばね接片の厚さ全体を貫くスロットを含む、請求項１の雌ジャック。
【００３９】
実施形態６    １つ又はそれ以上の撓みジョイントは、第１嵌め合い湾曲部の長さの少なくとも一部分を通して走る、請求項１の雌ジャック。
【００４０】
実施形態７    １つ又はそれ以上の撓みジョイントはばね接片の２つの撓みジョイントを含む、請求項１の雌ジャック。
【００４１】
実施形態８    雌ジャックは、ミュージカル装置に使用されるように構成される、請求項１の雌ジャック。
【００４２】
実施形態９    雄プラグに接触するように構成された第２嵌め合い湾曲部及び１つ又はそれ以上の撓みジョイント，を含む第２ばね接片を更に含む、請求項１の雌ジャック。
【００４３】
実施形態１０    第２ばね接片は、雄プラグが雌ジャックに固定されるとき第１ばね接片によって接触される位置と異なる位置で雄プラグに接触するように構成される、請求項９の雌ジャック。
【００４４】
実施形態１１    雌ジャックは、ミュージカル装置に使用されるように構成される、請求項９の雌ジャック。
【００４５】
実施形態１２    雄プラグを受け入れるように構成された受け口； 
１つ又はそれ以上のターミナル； 
雄プラグに接触し、雄プラグと雌ジャックとの間に電気接触を作るように構成された第１嵌め合い湾曲部及び２つ又はそれ以上の接触片を含む第１ばね接片を含む、雌ジャックを含む、オーディオ装置のピース。
【００４６】
実施形態１３    オーディオ装置のピースは、ミュージック増幅器を含む、請求項１２のオーディオ装置のピース。
【００４７】
実施形態１４    第１嵌め合い湾曲部は、雌ジャックに雄プラグを固定する固定用結合構造を含む、請求項１２のオーディオ装置のピース。
【００４８】
実施形態１５    ２つ又はそれ以上の接触片は、ばね接片の厚さ全体を貫く１つ又はそれ以上の撓みジョイントによって構成される、請求項１２のオーディオ装置のピース。
【００４９】
実施形態１６    雄プラグに接触し、雄プラグと雌ジャックとの間に電気接触を作るように構成された第２嵌め合い湾曲部を更に含み、第２嵌め合い湾曲部は、２つ又はそれ以上の接触片を含む、請求項１２のオーディオ装置のピース。
【００５０】
実施形態１７    雄プラグを受け入れるように構成された受け口； 
１つ又はそれ以上のターミナル； 
雄プラグに接触し、雄プラグと雌ジャックとの間に電気接触を作るように構成された第１嵌め合い湾曲部及び１つ又はそれ以上の撓みジョイント，を含む  第１ばね接片； 
雄プラグに接触し、雄プラグと雌ジャックとの間に電気接触を作るように構成された第２嵌め合い湾曲部及び１つ又はそれ以上の撓みジョイントを含む、第２ばね接片を含む、雌ジャック。
【００５１】
実施形態１８    １つ又はそれ以上の撓みジョイントの少なくともあるものは、ばね接片の厚さ全体を貫くスロットを含む、請求項１７の雌ジャック。
【００５２】
実施形態１９    第１ばね接片の１つ又はそれ以上の撓みジョイントは、雄プラグが雌ジャックジャックに固定されるとき雄プラグの尖端に接触するように構成された第１ばね接片の長さに沿って走り、更に、第２ばね接片の１つ又はそれ以上の撓みジョイントは、雄プラグが雌ジャックジャックに固定されるとき雄プラグのリングに接触するように構成された第２ばね接片の長さに沿って走る、請求項１７の雌ジャック。
【００５３】
実施形態２０    １つ又はそれ以上の撓みジョイントの少なくともあるものは、第１ばね接片の厚さの一部分及び第２ばね接片の厚さの一部分を通る筋を含む、請求項１７の雌ジャック。
【００５４】
開示した主題の例示実施形態の上記の説明は、例の目的及び説明の目的で提示されている。それは、網羅しているものではなくまた開示した主題を開示した正確な形態に限定するものではなつく上記の教示に照らして修正変更が可能であり、開示した主題の実施から獲得される。実施形態が、開示した主題の原理を説明するために、また当業者が開示した主題を種々の実施形態でかつ予想される特別の用途に適合されるように種々の変形例で利用することができる開示した主題の実用的な適用として選ばれそして記載された。開示した主題の範囲がここに添付された請求項及びそれらの均等によって定められるものである。
【図１】
0006599993.tif 000002
【図２】
0006599993.tif 000003
【図３】
0006599993.tif 000004
【図４】
0006599993.tif 000005
【図５】
0006599993.tif 000006
【図６】
0006599993.tif 000007
【図７】
0006599993.tif 000008